(57)【要約】【課題】      簡単な構成で遊びを抑え、スプ−ルフリ−回転性能の向上を図った魚釣用片軸受型リ−ルを提供することである。【解決手段】  略円形状のリ−ル本体１の中心一側に支軸２の一端２ａが埋設固定されて支軸２の外周にピニオン３が軸方向に移動自在でかつ回転自在に嵌合されると共にスプ−ル４が回転自在に支持されている。  スプ−ル４の前側の凹部４ｃ内に保持部材７が螺合され、保持部材７の筒部７ａの内側にはスプ−ル着脱機構の操作部材８が挿入され、スプ−ル着脱機構の操作部材８の円筒部８ｃの内周に制動調節部材９が螺合され、制動調節部材９の凹部９ｅ内に摩擦材からなる制動部材２６が取付けられ、制動部材２６は支軸２の頭部２ｅに押し当てられた状態で、鍔部９ｂが回動されることで制動力が調節される。【選択図】        図５
2006101706.tif 000002
【特許請求の範囲】
【請求項１】
釣糸が巻回されるスプ−ルをリ−ル本体に設けられた支軸に回転可能且つ軸方向移動規制して支持し、該スプ−ルを該支軸に対して着脱可能とするスプール着脱操作機構をスプ−ルに備えた魚釣用片軸受型リ−ルにおいて、
前記支軸に当接して前記スプ−ルの回転に制動力を付与する制動機構を前記スプ−ルまたはスプ−ルに取り付けられた部材に設けると共に、前記制動機構は制動力を増減調節可能な制動力調節部材を備えていることを特徴とする魚釣用片軸受型リ−ル。
【請求項２】
前記制動力調節部材は、前記スプ−ルに備えた前記着脱機構の操作部材に設けられていることを特徴とする請求項１記載の魚釣用片軸受型リ−ル。
【請求項３】
前記制動力調節部材は、前記支軸におれる端部に制動部材を当接させることで、前記スプ−ルに制動力を付与する構成であることを特徴とする請求項１または２記載の魚釣用片軸受型リ−ル。
【請求項４】
前記リ−ル本体に、前記スプ−ルを巻取り駆動状態とスプ−ルフリ−状態とに切換えるクラッチ機構を設けたことを特徴とする請求項１乃至３記載の魚釣用片軸受型リ−ル。
【発明の詳細な説明】
【技術分野】
【０００１】
本発明は、魚釣用片軸受型リ−ルのスプ−ルフリ−回転性能の向上に関する。
【背景技術】
【０００２】
従来、魚釣用片軸受型リ−ルは、リ−ル本体の支軸上に回転支持されたスプ−ルを巻取り駆動ハンドルにて回転させて、該スプ−ルに釣糸を巻回する構成である。
前記片軸受型リ−ルはスプ−ルを支軸に対して着脱可能に組み付ける構成であり、スプ−ルのスム−ズな回転を実現する為に適度な遊びが必要となる。
しかし遊びが少しでも大きくなると前記遊びによるガタが生じることがあり、また逆に遊びが狭くなるとスプ−ルのスム−ズな回転を阻害するため、高い寸法精度が必要となり、その結果製造コストが増大する。
前記不具合を解消するべく特許文献１にて本出願人は支軸の端部とスプ−ルの間に遊動吸収部材を配置することで、スプ−ルと支軸間の遊びを吸収してガタ付きによる異音の発生を防止した構成を出願した。
【特許文献１】実開平６−６４４６２号公報
【０００３】
しかし、前記遊動吸収部材の構成だと、製造誤差が生じた場合の遊び量の変化により、回転が重くなる或は充分に遊びを吸収しきれないことが希にあり、遊びの吸収によるスプ−ルのガタ付き防止効果が十分に得られないことがあるため改善が望まれていた。
他方、片軸受型リ−ルには特許文献２の如くスプ−ルの回転に制動力を付与するドラグ機構を備えたものや、特許文献３の如くスプ−ルの回転に制動力を付与するスプ−ルフランジ部に形成されたサミング操作部を備えている構成が数多く存在する。
【特許文献２】実開平５−８２２６６号公報
【特許文献３】特開２００２−２１８８７６号公報
【０００４】
前記ドラグ機構は、スプ−ルの釣糸繰り出し方向への回転に制動力を付与する為、仕掛け投入時にスプ−ルフリ−回転を得難い。
そのため素早い手返しが困難となり釣果に影響が出ることが多い。
またサミング操作部は、釣り人の指でスプ−ルに直接制動力を付与するので状況に応じた適切な制動力が得易いが、高い制動効果を得る為にフランジ部に凹凸や摩擦力を増大する材料を設けると、長時間の使用で指先が痛くなることが多く、改善が望まれている。
【発明の開示】
【発明が解決しようとする課題】
【０００５】
解決しようとする問題点は、特許文献１では遊動吸収部材の構成だと、製造誤差が生じた場合の遊び量の変化により、回転が重くなる或は充分に遊びを吸収しきれないことが希にあり、遊びの吸収によるスプ−ルのガタ付き防止効果が十分に得られないことがある。
特許文献２のドラグ機構は、スプ−ルの釣糸繰り出し方向への回転に制動力を付与する為、仕掛け投入時にスプ−ルフリ−回転を得難い。
特許文献３のサミング操作部は、釣り人の指でスプ−ルに直接制動力を付与するので状況に応じた適切な制動力が得易いが、高い制動効果を得る為にフランジ部に凹凸や摩擦力を増大する材料を設けると、長時間の使用で指先が痛くなることが多くなる。
ことである。
【０００６】
本発明の目的は前記欠点に鑑み、簡単な構成で遊びを抑え、スプ−ルフリ−回転性能の向上を図った魚釣用片軸受型リ−ルを提供することである。
【課題を解決するための手段】
【０００７】
本発明の請求項１は、釣糸が巻回されるスプ−ルをリ−ル本体に設けられた支軸に回転可能且つ軸方向移動規制して支持し、該スプ−ルを該支軸に対して着脱可能とするスプール着脱操作機構をスプ−ルに備えた魚釣用片軸受型リ−ルにおいて、前記支軸に当接して前記スプ−ルの回転に制動力を付与する制動機構を前記スプ−ルまたはスプ−ルに取り付けられた部材に設けると共に、前記制動機構は制動力を増減調節可能な制動力調節部材を備えていることを要旨とするものである。
本発明の請求項２は、前記制動力調節部材は、前記スプ−ルに備えた前記着脱機構の操作部材に設けられていることを要旨とするものである。
本発明の請求項３は、前記制動力調節部材は、前記支軸におれる端部に制動部材を当接させることで、前記スプ−ルに制動力を付与する構成であることを要旨とするものである。
本発明の請求項４は、前記リ−ル本体に、前記スプ−ルを巻取り駆動状態とスプ−ルフリ−状態とに切換えるクラッチ機構を設けたことを要旨とするものである。
【発明の効果】
【０００８】
本発明の請求項１及び４によれば、スプ−ルのフリ−回転に制動力を調節して付与することが出来るので、仕掛け投入時のバックラッシュを効果的に加えながら、フリ−回転時の抵抗を極力減らす事が可能となり、迅速な仕掛け投入が可能となる。
また、リ−ル本体から容易に着脱することが可能なスプ−ル側に制動機能を設けることで、制動機構のメンテナンスが容易になる。
特に請求項４の如く、クラッチ機構を備えた片軸受型リ−ルの場合、複雑なクラッチ機構が設けられたリ−ル本体内ではなく、スプ−ル側に制動機能を設けることでリ−ル本体の大型化を防ぎながら構造の簡素化を図ることが出来る。
本発明の請求項２によれば、支軸の軸方向に変位可能な着脱機構の操作部材に制動力調節部を設けることで、魚が掛かった後のやり取りの際に制動力調節部を押圧操作して、スプ−ルの制動力を一時的に増加させることが可能となり、サミング操作部として機能させることが出来る。
本発明の請求項３によれば、着脱機構の操作部材に制動機構の制動力調節部を設けることで、リ−ル本体へのスプ−ル取付時にスプ−ルが軸方向へガタ付くのを効果的に防ぐことが可能となる。
【発明を実施するための最良の形態】
【０００９】
魚釣用片軸受型リ−ルは、略円形状のリ−ル本体１の中心一側に支軸２の一端２ａが埋設固定されて支軸２の外周にピニオン３が軸方向に移動自在でかつ回転自在に嵌合されると共にスプ−ル４が回転自在に支持されている。
スプ−ル４の前側の凹部４ｃ内には軸方向に雌ネジ部４ｒが形成されて保持部材７が螺合され、保持部材７の筒部７ａの径方向内側にはスプ−ル着脱機構の操作部材８が挿入され、スプ−ル着脱機構の操作部材８の径方向内側に設けた円筒部８ｃの内周に雌ネジ部８ｆが形成されて制動調節部材９が螺合されている。
制動調節部材９の凹部９ｅ内に摩擦材からなる制動部材２６が取付けられ、制動部材２６は支軸２の頭部２ｅに押し当てられた状態で、鍔部９ｂが回動されることで制動力が調節される。
【実施例１】
【００１０】
以下、図示の実施例によって本発明を説明すると、図１から図１１は第１実施例で、図１は魚釣用片軸受型リ−ルの正面図、図２は魚釣用片軸受型リ−ルの断面側面図、図３は魚釣用片軸受型リ−ルの分解断面側面図、図４はスプ−ル素体の拡大断面側面図、図５は魚釣用片軸受型リ−ルの支軸を２点仮想線で示したスプ−ル前側の拡大断面側面図、図６はスプ−ルの軸受部分の分解斜視図、図７は一対の係止板の正面図、図８は魚釣用片軸受型リ−ルのスプ−ルを取り外し支持体を一部断面にした断面正面図、図９は魚釣用片軸受型リ−ルのリ−ル本体側の要部断面平面図、図１０は魚釣用片軸受型リ−ルのスプ−ルを取り外した要部断面正面図、図１１は魚釣用片軸受型リ−ルのスプ−ルを取り外し可能状態にした支軸を２点仮想線で示したスプ−ル前側の拡大断面側面図である。
【００１１】
魚釣用片軸受型リ−ルは略円形状のリ−ル本体１の中心一側に支軸２の一端２ａが埋設固定されて支軸２の外周にピニオン３が軸方向に移動自在でかつ回転自在に嵌合されると共にスプ−ル４が回転自在に支持されている。
リ−ル本体１の軸孔１ａにはハンドル軸１０が回転自在に嵌合されてハンドル軸１０に回り止め嵌合された駆動歯車１２がピニオン３に噛合されている。
リ−ル本体１の外部に突出されたハンドル軸１０にはハンドル１１が取り付けられている。
ハンドル軸１０の駆動歯車１２位置より前側の細い軸部１０ａにクラッチ復帰体１３が軸方向に移動自在でかつ回り止め嵌合されて発条で駆動歯車１２側に押圧付勢されている。
細い軸部１０ａの先端外周には軸受１４が嵌合されている。
リ−ル本体１の一側前側縁部には円筒部１ｂが形成されて円筒部１ｂ外周に支持体５が嵌合固定されている。
【００１２】
支軸２にはピニオン３が嵌合された軸部２ｂとスプ−ル４の中心筒状の支持部４ａの中に収容された軸受１５、１６が嵌合される軸部２ｃと先端の周溝２ｄと頭部２ｅとで形成されている。
ピニオン３には歯部３ａと周状の係止溝３ｂと前端外周に正面から見て断面小判形のクラッチ係合部３ｃが形成されている。
係止溝３ｂにはクラッチプレ−ト１７が係止され、クラッチプレ−ト１７は図９のようにリ−ル本体１に植設された支柱１８、１８に支持されて発条１９でスプ−ル４側に付勢されている。
クラッチプレ−ト１７はリ−ル本体１の縦方向にスライド自在に設けられたクラッチレバ−２０の押し下げでリ−ル本体１側に押され、クラッチ復帰体１３の回転で復帰される。
【００１３】
図３、図４のようにスプ−ル４は中心筒状の支持部４ａと支持部４ａより太径の前側筒部４ｂと前側筒部４ｂの内側の凹部４ｃと前端のスプ−ル側部４ｄとスプ−ル側部４ｄ側の鍔状外周４ｅと鍔状外周４ｅの後側の筒状の釣糸巻回胴部４ｆと釣糸巻回胴部４ｆの後側の後壁４ｇと筒部４ｈで形成されている。
鍔状外周４ｅには図１のように複数の凹部４ｉと凸部４ｊが形成されている。  上記スプ−ル側部４ｄは、表面が平滑面状で形状は中心に近づくにつれて外側に膨出するテ−パ形状となっている。
上記平滑面状のスプ−ル側部４ｄで弱制動部αが構成され、鍔状外周４ｅの複数の凹部４ｉと凸部４ｊで凹凸形状の強制動部βが構成されている。
スプ−ル側部４ｄの形状によって中心寄りの側部の弱制動部αから外周の凹凸による強制動部βへの指の移行がスム−ズに行える。
【００１４】
中心筒状の支持部４ａは、内部の収納室４ｋの奥部に支軸挿通孔４ｍが開口し、
収納室４ｋ内周に段部４ｎが形成されて軸受１５の前側が度当りされている。  収納室４ｋ内で軸受１５と軸受１６の間にはカラ−２１が挾み込まれ、軸受１６の後側の内周にクラッチ係合部材６が嵌合されている。
支持部４ａの後端開口には図６のように支持部４ａに横向きの切欠き４ｏが形成されて一対の断面円弧状の係合片４ｐが対向して設けられ、係合片４ｐ外周に周溝４ｑが形成されている。
切欠き４ｏと係合片４ｐには円板状の抜け止めプレ−ト２２が係合されて周溝４ｑに嵌められたＯリング２３で抜け止めされている。
【００１５】
支持部４ａより太径の前側筒部４ｂの内側の支軸挿通孔４ｍより前側の凹部４ｃ内には軸方向に雌ネジ部４ｒが形成されて保持部材７が螺合されている。
保持部材７は筒部７ａの前側に鍔部７ｂが形成されて筒部７ａ外周に雄ネジ部７ｃが形成されている。
筒部７ａの径方向内側には筒孔７ｄと係止部７ｅが形成されている。
筒部７ａの径方向内側にはスプ−ル着脱機構の操作部材８が挿入され、スプ−ル着脱機構の操作部材８と支軸２の径方向へ一対のバネ２４で付勢された一対の係止板２５からなる従来周知のワンタッチ式のスプ−ル着脱機構が装着されている。
【００１６】
スプ−ル着脱機構の操作部材８は外周筒部８ａが筒孔７ｄ内に嵌合され、筒部８ａに係合部８ｂが突出形成されて係止部７ｅに係合されている。
スプ−ル着脱機構の操作部材８の内側には円筒部８ｃが後側に突出形成され、円筒部８ｃの後側上下に傾斜面８ｄ、８ｄで尖頭部８ｅが形成されている。
円筒部８ｃの内周に雌ネジ部８ｆが形成されて制動調節部材９が螺合されている。
尖頭部８ｅの先端は前記一対の係止板２５の間に挿入される。
制動調節部材９は支柱部９ａの前側に鍔部９ｂと円筒部９ｃが形成され、支柱部９ａの外周に雄ネジ部９ｄが形成されて支柱部９ａの後端に凹部９ｅが形成されて凹部９ｅ内に摩擦材からなる制動部材２６が取付けられている。
制動部材２６は支軸２の頭部２ｅに押し当てられた図５の状態で、円筒部９ｃがネジの締込み方向に回動されることで制動力が調節される。
スプ−ル４の制動力を一時的に増加させたい時は、制動部材２６が支軸２の頭部２ｅに押し当てられた図５の状態で制動調節部材９が押し込み操作されると、制動力を増加させることが出来る。
【００１７】
スプ−ル４が支軸２から外される時は、制動調節部材９が逆方向に回動されることで図１１のように支軸２の頭部２ｅから制動部材２６が離間され、その後制動調節部材９が押し込まれると、スプ−ル着脱機構の操作部材８が内方へ押圧操作される。
この操作でスプ−ル着脱機構の操作部材８の傾斜面８ｄ、８ｄで支軸２の周溝２ｄに係止されている一対の係止板２５の間隔が押し広げられて係止状態が解除され、支持部４ａ内に軸受１５とカラ−２１と軸受１６とクラッチ係合部材６を保持したまま、スプ−ル４が支軸２から簡単に取り外せるようになっている。
【００１８】
支持体５は筒部５ａの内側に円板状の基板部５ｂが形成されている。
筒部５ａの後端内周には段部で凹部５ｃが形成されてリ−ル本体１の一側前側縁部の円筒部１ｂ外周に嵌合されている。
筒部５ａの外周には竿取付部２８が固定されていると共に、透孔５ｄを挾んで反対側の外周に、スプ−ル４の外周方向へ突出する高硬度材料からなる一片の断面円弧状の保護プレ−ト２９がネジ止めされ、竿取付部２８に釣竿３０が取り付けられる。
基板部５ｂの中心には抜け止めプレ−ト２２が挿通可能な透孔５ｄと一対の軸受支持孔５ｅ、５ｆと図示しないビス挿通孔が穿設されている。
図示しないビス挿通孔には図１０のようにビス２６、２６が挿通されて支持体５が支持板２７、２７でリ−ル本体１に取り付けられている。
軸受支持孔５ｅ、５ｆの何れか一方にはハンドル軸１０の細い軸部の先端外周に嵌合された軸受１４の外輪が嵌合されている。
支持体５はリ−ル本体１に対して竿取付部２８を上側にしたり下側にして取り付けることが可能である。
【００１９】
クラッチ係合部材６は図４、図６のように支持部４ａの収納室４ｋ内に挿入可能な外径を有し、有底筒状部６ａに横向きの切欠きが形成されて上下に一対のクラッチ係合片６ｂが突出され、有底筒状部６ａの中心に支軸２の挿通孔６ｃが穿設されてクラッチ係合片６ｂの内側が平面状で外周が円弧状に形成されている。
円板状の抜け止めプレ−ト２２は中心に支軸２の挿通孔２２ａと、重合した一対の断面円弧状の係合片４ｐと一対のクラッチ係合片６ｂとの形状に一致する一対の突片係合孔２２ｂが挿通孔２２ａを挾んで形成されている。
重合した一対の断面円弧状の係合片４ｐと一対のクラッチ係合片６ｂを突片係合孔２２ｂに挿通させて抜け止めプレ−ト２２を支持部４ａに係合させた後、周溝４ｑにＯリング２３が嵌められることで、支持部４ａの収納室４ｋ内に軸受１５とカラ−２１と軸受１６とクラッチ係合部材６が抜け止めされている。
クラッチ係合部材６の一対のクラッチ係合片６ｂの間にはピニオン３のクラッチ係合部３ｃが着脱自在に係合される。
【００２０】
魚釣用片軸受型リ−ルの動作は、クラッチ係合部３ｃと一対のクラッチ係合片６ｂが係合されたクラッチＯＮ状態でスプ−ル４に図示しない釣糸が巻回される方向にハンドル１１が回転されると、ハンドル軸１０、駆動歯車１２、ピニオン３、クラッチ係合部３ｃ、一対のクラッチ係合片６ｂを介してスプ−ル４が回転される。
クラッチレバ−２０が押し下げられると、クラッチプレ−ト１７が後退されてクラッチ係合部３ｃと一対のクラッチ係合片６ｂの係合が解除されてクラッチＯＦＦ状態となってスプ−ル４がフリ−回転となる。
スプ−ル４がフリ−回転の状態でハンドル１１が回転されると、クラッチ復帰体１３の回転でクラッチ係合部３ｃと一対のクラッチ係合片６ｂが係合されてクラッチＯＮ状態に復帰される。
魚の引きで釣糸がスプ−ル４から繰り出される時は、平滑面状のスプ−ル側部４ｄの弱制動部αに指を当てて制動が掛けられる。
強い制動が必要な時は、外周の凹凸による強制動部βへ指を移行させて強い制動が掛けられる。
【００２１】
スプ−ル着脱機構の操作部材８と制動調節部材９の動作は、図５のように支軸２の頭部２ｅに制動部材２６が押し当てられ状態で制動調節部材９の鍔部９ｂが回動されると、制動部材２６が支軸２の頭部２ｅに押し当てられて制動力が調節される。
制動部材２６が支軸２の頭部２ｅに押し当てられた図５の状態で制動調節部材９が押し込み操作されると、スプ−ル４の制動力を一時的に増加させることが出来る。
図１１のように、制動調節部材９が逆方向に回動されて支軸２の頭部２ｅから制動部材２６が離間され、その後制動調節部材９が押し込まれると、スプ−ル着脱機構の操作部材８が内方へ押圧操作されてスプ−ル着脱機構の操作部材８の傾斜面８ｄ、８ｄで支軸２の周溝２ｄに係止されている一対の係止板２５の間隔が押し広げられて係止状態が解除され、支持部４ａ内に軸受１５とカラ−２１と軸受１６とクラッチ係合部材６を保持したまま、スプ−ル４が支軸２から簡単に取り外せるようになっている。
【００２２】
前記のように魚釣用片軸受型リ−ルが構成されると、スプ−ル着脱機構の操作部材８に螺合された制動調節部材９が回動されて支軸２の頭部２ｅに制動部材２６が押し当てられることで、スプ−ル４のフリ−回転に制動力を調節して付与することが出来るので、仕掛け投入時のバックラッシュを効果的に加えながら、フリ−回転時の抵抗を極力減らす最適な制動力を容易に得る事が可能となり、迅速な仕掛け投入が可能となる。
また、リ−ル本体１から容易に着脱することが可能なスプ−ル４側に制動機能を設けることで、制動機構のメンテナンスが容易になる。
クラッチ機構を備えた片軸受型リ−ルの場合、複雑なクラッチ機構が設けられたリ−ル本体１内ではなく、スプ−ル４側に制動機能を設けることでリ−ル本体１の大型化を防ぎながら構造の簡素化を図ることが出来る。
支軸２の軸方向に変位可能な着脱機構のスプ−ル着脱機構の操作部材８に制動力調節部材９を設けることで、魚が掛かった後のやり取りの際に制動力調節部材９を押圧操作して、スプ−ル４の制動力を一時的に増加させることが可能となり、サミング操作部として機能させることが出来る。
着脱機構の操作部材８に制動機構の制動力調節部材９を設けることで、リ−ル本体１へのスプ−ル４取付時にスプ−ル４が軸方向へガタ付くのを効果的に防ぐことが可能となる。
【実施例２】
【００２３】
図１２から図１４は第２実施例で、図１２は魚釣用片軸受型リ−ルの正面図、図１３は図１２の要部拡大正面図、図１４は魚釣用片軸受型リ−ルの拡大断面側面図である。
【００２４】
第２実施例では、魚釣用片軸受型リ−ルはリ−ル本体１の中心に支軸２が圧入等で固定されて突設されている。
支軸２にはスプ−ル４の中心に一体に形成された軸筒４ｓが回転自在に嵌合されている。
スプ−ル４の外周には釣糸巻回胴部４ｆが形成されて釣糸３０が巻回されている。
スプ−ル４の中心側面には図２のように、キャップ３３がビス３４で固定され、スプ−ル４を支軸２に着脱自在にする係止板３５が設けられてバネ３６で付勢されて支軸２の先端の周溝２ｄに係止板３５が係止されている。
キャップ３３の前面には筒部３３ａが形成されて内周に雌ネジ部３３ｂが形成されている。
雌ネジ部３３ｂには制動力調節部材９の雄ネジ部９ｃが螺合されている。
制動力調節部材９の支柱部９ａには凹部９ｅが形成されて凹部９ｅ内に摩擦材からなる制動部材２６が取付けられている。
制動部材２６は支軸２の頭部２ｅに押し当てられる。
スプ−ル４の側面のフランジ部４ｔにはハンドルツマミ３７が軸３８に回動自在に嵌められている。
リ−ル本体１の上部には竿取付部２８が一体的に設けられて釣竿３０が取り付けられる。
【００２５】
制動調節部材９の動作は、図１４のように支軸２の頭部２ｅに制動部材２６が押し当てられ状態で制動調節部材９の鍔部９ｂが回動されると、制動部材２６が支軸２の頭部２ｅに押し当てられて制動力が調節される。
制動部材２６が支軸２の頭部２ｅに押し当てられた図１４の状態で制動調節部材９が押し込み操作されると、スプ−ル４の制動力を一時的に増加させることが出来る。
制動調節部材９が逆方向に回動されて支軸２の頭部２ｅから制動部材２６が離間され、その後係止板３５が図１４で上方に押し上げられると、支軸２の周溝２ｄに係止されている係止板３５の係止状態が解除され、スプ−ル４が支軸２から簡単に取り外せるようになっている。
キャップ３３の前面に制動力調節部材９を設けることで、スプ−ル４の制動力を一時的に増加させることが可能となり、サミング操作部として機能させることが出来る。
着脱機構のキャップ３３に制動機構の制動力調節部材９を設けることで、リ−ル本体１へのスプ−ル４取付時にスプ−ル４が軸方向へガタ付くのを効果的に防ぐことが可能となる。
支軸２からスプ−ル４を離脱する時は、制動力調節部材９が逆方向に回動されて支軸２の頭部２ｅから制動部材２６が離間され、係止板３５の操作で支軸２の先端の周溝２ｄから係止状態が解除されてスプ−ル４が取り外される。
【００２６】
第２実施例のように魚釣用片軸受型リ−ルが構成されると、キャップ３３の前面に螺合された制動調節部材９が回動されて支軸２の頭部２ｅに制動部材２６が押し当てられることで、スプ−ル４のフリ−回転に制動力を調節して付与することが出来るので、仕掛け投入時のバックラッシュを効果的に加えながら、フリ−回転時の抵抗を極力減らす事が可能となり、迅速な仕掛け投入が可能となる。
また、リ−ル本体１から容易に着脱することが可能なスプ−ル４側に制動機能を設けることで、制動機構のメンテナンスが容易になる。
キャップ３３の前面に制動力調節部材９を設けることで、魚が掛かった後のやり取りの際に制動力調節部材９を押圧操作して、スプ−ル４の制動力を一時的に増加させることが可能となり、サミング操作部として機能させることが出来る。
着脱機構の係止板３５を収納したキャップ３３に制動機構の制動力調節部材９を設けることで、リ−ル本体１へのスプ−ル４取付時にスプ−ル４が軸方向へガタ付くのを効果的に防ぐことが可能となる。
【図面の簡単な説明】
【００２７】
【図１】第１実施例で、魚釣用片軸受型リ−ルの正面図である。
【図２】同魚釣用片軸受型リ−ルの断面側面図である。
【図３】同魚釣用片軸受型リ−ルの分解断面側面図である。
【図４】同スプ−ル素体の拡大断面側面図である。
【図５】同魚釣用片軸受型リ−ルの支軸を２点仮想線で示したスプ−ル前側の拡大断面側面図である。
【図６】同スプ−ルの軸受部分の分解斜視図である。
【図７】同一対の係止板の正面図である。
【図８】同魚釣用片軸受型リ−ルのスプ−ルを取り外し支持体を一部断面にした断面正面図である。
【図９】同魚釣用片軸受型リ−ルのリ−ル本体側の要部断面平面図である。
【図１０】同魚釣用片軸受型リ−ルのスプ−ルを取り外した要部断面正面図である。
【図１１】同魚釣用片軸受型リ−ルのスプ−ルを取り外し可能状態にした支軸を２点仮想線で示したスプ−ル前側の拡大断面側面図である。
【図１２】第２実施例で、魚釣用片軸受型リ−ルの正面図である。
【図１３】図１２の要部拡大正面図である。
【図１４】同魚釣用片軸受型リ−ルの拡大断面側面図である。
【符号の説明】
【００２８】
１  リ−ル本体
２  支軸
４  スプ−ル
８  スプ−ル着脱機構の操作部材
９  制動力調節部材
２６  制動部材
【図１】
2006101706.tif 000003
【図２】
2006101706.tif 000004
【図３】
2006101706.tif 000005
【図４】
2006101706.tif 000006
【図５】
2006101706.tif 000007
【図６】
2006101706.tif 000008
【図７】
2006101706.tif 000009
【図８】
2006101706.tif 000010
【図９】
2006101706.tif 000011
【図１０】
2006101706.tif 000012
【図１１】
2006101706.tif 000013
【図１２】
2006101706.tif 000014
【図１３】
2006101706.tif 000015
【図１４】
2006101706.tif 000016